(57)【要約】溶液中に荷電化合物の調製サンプルを準備する工程、前記調製サンプルを、サンプル中の荷電化合物をそれに可逆的に結合できるが、サンプル中の溶媒を結合せず、結合した荷電化合物の少なくとも実質的な部分の不可逆的な吸着を排除するように有効吸着性表面領域に制限されている膜と接触するように配置する工程、及び前記膜から荷電化合物を溶出する工程を含む、荷電化合物の単離方法。
2004537033.tif 000002
【特許請求の範囲】
【請求項１】
溶液中に荷電化合物の調製サンプルを準備する工程、前記調製サンプルを、サンプル中の荷電化合物をそれに可逆的に結合できるが、サンプル中の溶媒を結合せず、せいぜい実質的に１５平方ミリメートルの各側での有効外部表面領域と、せいぜい実質的に５００ミクロンの厚みを各側で有する逆相膜または吸着性イオン交換膜と接触するように配置し、それによって結合した荷電化合物の少なくともも実質的な部分の不可逆的な吸着を排除する工程、及び前記膜から荷電化合物を溶出する工程を含む、荷電化合物の単離方法。
【請求項２】
前記有効表面領域が、実質的に１から３平方ミリメートルである請求項１に記載の方法。
【請求項３】
前記膜がディスク膜であり、その有効表面領域が実質的に０．５から４ミリメートルの直径を有する請求項１または２に記載の方法。
【請求項４】
前記直径が、実質的に１から２ミリメートルである請求項３に記載の方法。
【請求項５】
前記膜がディスク膜であり、その有効表面領域が周りを取り囲む不透過性固定化エッジ領域によって平縛された内部膜領域によって形成されている請求項１から４のいずれか一項に記載の方法。
【請求項６】
前記サンプル及び溶出液が、そこに発揮される力によって膜を透過する請求項１から５のいずれか一項に記載の方法。
【請求項７】
前記力が遠心力である請求項６に記載の方法。
【請求項８】
前記膜が、少なくとも基底に隣接した領域で膜に向かう方向で減少する内部断面領域を有するレセプタクルの基底に搭載されている請求項６または７に記載の方法。
【請求項９】
前記膜が連続的に搭載される等量物中のサンプルで充填され、各等量物が充填の後に直接膜を通過する請求項１から８のいずれか一項に記載の方法。
【請求項１０】
前記サンプルが、実質的に２００マイクロリットルまでの量で膜を通過させられる請求項１から９のいずれか一項に記載の方法。
【請求項１１】
前記量が、実質的に１から２００マイクロリットルである請求項８に記載の方法。
【請求項１２】
前記サンプルが膜を通過する工程が、膜の平衡化の前ではなく実施される請求項１から１１のいずれか一項に記載の方法。
【請求項１３】
前記結合した化合物を溶出する工程が、膜の洗浄の前ではなく実施される請求項１から１２のいずれか一項に記載の方法。
【請求項１４】
前記膜が塩基性アニオン交換膜である請求項１から１３のいずれか一項に記載の方法。
【請求項１５】
前記溶出液が、サンプルを含む溶液のｐＨに対して低いｐＨ値を有するバッファー溶液中の酸である請求項１４に記載の方法。
【請求項１６】
前記膜が逆相膜であり、前記溶出液がアセトニトリル及びギ酸であり、前記膜が溶媒濃度を減少するため１：１で希釈されている請求項１から１５のいずれか一項に記載の方法。
【請求項１７】
複数のサンプルが同時に対応する複数の膜をそれぞれ通過し、前記膜が共通の支持体によって維持され、結合した物質が同時に膜を溶出液が通過することによって回収される請求項１から１６のいずれか一項に記載の方法。
【請求項１８】
溶出した荷電化合物のスペクトロメトリー分析を実施する工程を含む請求項１から１７のいずれか一項に記載の方法。
【請求項１９】
前記溶出した荷電化合物が、分析の迅速な実行を許容する手段に直接溶出される請求項１８に記載の方法。
【請求項２０】
前記荷電化合物がタンパク質性化合物である請求項１から１９のいずれか一項に記載の方法。
【請求項２１】
調製された荷電化合物切断物をバッファー溶液で希釈する工程、逆相膜に、または選択されたｐＨまたはｐＨレベルの選択での切断物からの荷電化合物のサブ集団（類）の膜に対する可逆的結合を可能にするが、サンプル中の溶媒を結合せず、せいぜい実質的に１５平方ミリメートルの各側での有効外部表面領域と、せいぜい実質的に５００ミクロンの厚みを有する吸着性イオン交換膜若しくは逆相膜に、前記希釈切断物を通過させ、それによって結合した荷電化合物のサブ集団の少なくとも実質的な部分の不可逆的な吸着を排除する工程、酸での溶出により結合した荷電化合物を回収する工程、及びスペクトロメトリー分析に各荷電化合物溶出液を直接かける工程を含む、プロテオーム分析方法。
【請求項２２】
分析がマトリックス補助的レーザー脱着イオン化によって実施される請求項２１に記載の方法。
【請求項２３】
溶出された荷電化合物が、レーザー脱着イオン化の実施のためのマトリックスで直接溶出される請求項２２に記載の方法。
【請求項２４】
荷電化合物が、タンパク質、ポリペプチド、及びペプチドから選択されるタンパク質性化合物である請求項２１から２３のいずれか一項に記載の方法。
【請求項２５】
前記タンパク質性化合物の特徴付けが、そのアミノ酸配列を同定することを含む請求項２４に記載の方法。
【請求項２６】
前記有効表面領域が、実質的に１から３平方ミリメートルである請求項２１から２５のいずれか一項に記載の方法。
【請求項２７】
前記サンプル及び溶出液が、そこに発揮される力によって膜を透過する請求項２１から２６のいずれか一項に記載の方法。
【請求項２８】
前記力が遠心力である請求項２７に記載の方法。
【請求項２９】
前記膜が塩基性アニオン交換膜である請求項２１から２８のいずれか一項に記載の方法。
【請求項３０】
前記調製された荷電化合物切断物が、膜でin situで調製される請求項２１から２９のいずれか一項に記載の方法。
【発明の詳細な説明】
【技術分野】
【０００１】
本発明は、荷電化合物、特にペプチド、ポリペプチド、またはタンパク質のようなタンパク質性化合物の単離方法に関する。
【背景技術】
【０００２】
逆相またはイオン交換クロマトグラフィーによって標的物質を抽出するために構築された膜の使用により、調製されたサンプルからタンパク質を回収することを含む、荷電した、例えばタンパク質性の化合物の各種の単離方法が知られている。後者の場合、イオン交換膜は典型的に、膜にカチオン性またはアニオン性の特徴を与える、例えばスルホン酸または第四級アミンといった正または負に荷電した官能基を共有結合した変性セルロースの円板状多孔性マトリックスからなる。前記膜は、例えば遠心力の作用の下で、膜を通過するような液体相におけるサンプルの受容のためのレセプタクルまたはカラムの基底に配置または維持される。レセプタクル自体は、膜を通過した媒体の回収のための回収チェンバーを封入する遠心チューブに脱着可能に配置できる。タンパク質回収の分野では、そのような膜システムは一般的に、特異的組織または他の有機物質からのタンパク質の抽出、単離されたタンパク質及びポリペプチドの精製または濃縮、内毒素、糖、塩等のような非タンパク質性エレメントの除去のために使用されている。これら及び他のそのような目的のため、標的タンパク質性化合物とのイオン交換に適した官能基を含む膜の平衡化が、事前に選択された適切な種類のバッファー溶液と、膜を通じたｐＨ値にもたらすことによって最初に実施され、そのｐＨにタンパク質含有サンプルのｐＨを調節し、後にサンプルを含まないさらなる容量の溶液が平衡化した膜に適用され、アニオンまたはカチオン（タンパク質のｐＨ値と等電点、並びに選択された膜の官能基に依存する）相互作用によって、マトリックスにサンプルのタンパク質構成成分のイオン性結合が誘導される。次いで膜をさらなる容量のバッファー溶液によって洗浄し、最後に結合したタンパク質分子を、高塩濃度を含む同じバッファーで、または上昇または減少するｐＨのバッファー溶液またはバッファー溶液のシリーズで溶出することによって回収し、その後のタンパク質の回収を確認する。洗浄及び溶出工程は、カラムとチューブのアセンブリーの遠心分離によるような先行する工程と同じ態様で両者とも実施される。
【０００３】
イオン交換膜を使用する前述の方法は、前述の目的のためタンパク質含有サンプルを加工するのに非常に有効であると分かっている。しかしながら従来前記膜は、大容量の希釈溶液からタンパク質のような非常に少量の荷電化合物を濃縮するのに実践的であるとは考慮されていない。希釈サンプルにおけるタンパク質の分析と関連した既知の膜の使用は、全ての意図及び目的に対して、約０．５μｌから約５．０μｌの容量のような小容量にサンプル中の分析可能な量のタンパク質の濃縮を必要とするため不可能である。さらに、既知の方法と関連した初期の平衡化及び中期の洗浄工程は全体の回収時間を伸張し、そのことは、多数のサンプルを、例えばマススペクトロメトリー法による感受性分析物に適したようにすることが必要な場合に、プロテオーム方法に特に不利であり得る。
【発明の開示】
【発明が解決しようとする課題】
【０００４】
この目的のため、例えば逆相工程でペプチドの吸着とその後の放出のための微粒子シリカビーズを含むマイクロ容量の樹脂ベッドを遊離端に有する脱着可能なチップを供えたピペットの広範囲の使用がなされている。このベッドのサイズ及びフロー特性は、濃縮、脱塩、及び分画のような目的のため、タンパク質含有物質のマイクロ容量からの、マイクロリットル当たり分子部分に依存して例えば４５から７５％のペプチドの回収が可能であるが、サンプルに対するプロセッシング時間は比較的遅延したままであり、チップの扱いは注意を要し、その結果時間の因子に不利な影響を有する。逆相クロマトグラフィー材料を有するマイクロカラム、及びガラスファイバー構造での逆相ビーズを有するピペットチップ、及びガス圧によって誘導されるフロースルーのような他の既知のマイクロ精製法法も、プロセッシング時間と使用の容易性に関して同様の欠点を有する。
【０００５】
従って、本発明の主な目的は、特に標的物質の容量当たりのプロセッシング時間、収率、及び標的物質の濃縮の一つ以上に関して、既知の方法と比較して効率的に改良されている、非常に少量、例えばアトモル及びフェムトモル量の荷電化合物、特にタンパク質性化合物、例えばペプチド、ポリペプチド、及びタンパク質の回収方法を提供することである。さらなる目的は、サンプルからの化合物の回収方法との、荷電化合物のサンプルの調製の統合である。前記方法はさらに、単純で経済的な構成を有し、使用が比較的複雑でない装置で好ましくは実施可能であるべきである。
【０００６】
本発明の他の目的及び利点は、以下の記載から明らかであろう。
【課題を解決するための手段】
【０００７】
本発明の第一の特徴点によれば、溶液中に荷電化合物の調製サンプルを準備する工程、前記調製サンプルを、サンプル中の荷電化合物をそれに可逆的に結合できるが、サンプル中の溶媒を結合せず、結合した荷電化合物の少なくとも実質的な部分の不可逆的な吸着を排除するように有効吸着性表面領域が制限されている膜と接触するように配置する工程、及び前記膜から荷電化合物を溶出する工程を含む、荷電化合物の単離方法を提供する。
【発明を実施するための最良の形態】
【０００８】
この明細書の文脈では、荷電化合物は、正味の正または負の荷電を有するいずれかの分子として理解されるべきである。そのような化合物は、親水性または疎水性の特性、あるいはその二つの組み合わせを有するであろうと予測されよう。荷電化合物は、核酸、例えばＤＮＡまたはＲＮＡ、及びアミノグリカンのような炭水化物を含んでも良い。典型的に荷電化合物はタンパク質性化合物であり、つまりペプチド結合を介して共に結合し、典型的にペプチド結合によって共に結合した天然または合成アミノ酸を含む一酸のサブユニットを含み、ポリマー状化合物、例えばペプチド、ポリペプチド、及びタンパク質を形成する化合物である。そのようなポリマー状化合物は、合成または天然起源を有しても良い。用語「タンパク質性化合物」及び「タンパク質」は互換的に使用されて良く、使用の文脈で他の意味がなければ同じものを称して良いとさらに解されよう。
【０００９】
使用される膜の減少した有効吸着性表面に関して、その分子量の範囲のより小さい部分で結合した荷電化合物の大きな割合の不可逆的な吸着が妨げられる。特に、残留液または溶液残存容量が、経済的な構成の膜及び容器のクロマトグラフィー機能と匹敵する最小のサイズを維持し、そのため、例えば横の拡散による膜の体積中の、荷電化合物、特に小分子量化合物、例えば５００から５０００ドルトンの間のペプチドの標的化のロスが最小に維持され、それによって後の溶出工程による大多数の結合化合物の回収が可能である。減少した有効領域は、膜に隣接した適切に制限された回収容量と結びついて、膜でのサンプルのin situ調製をも可能にする。膜の制限された有効表面領域は、好ましくは実質的に１５ｍｍ２、より好ましくは１から３ｍｍ２の最大有効外部表面領域、及び約０．５から５ミクロンの孔サイズを有する約５００ミクロン、好ましくは２００から４００ミクロンの最大厚によって達成される。これらの寸法は、従来の厚みと、典型的に３から５ミクロンの見かけの孔サイズを有するが、不透過性にする囲んだ固定化エッジ領域と、適切な表面領域を有する活性な吸着内部領域を有するより大きな直径のディスクの膜の使用を許容する。かくして、そのような内部領域の直径は、約０．５から４ミリメートル、好ましくは１から２ミリメートルであることができる。次いで、有効な溶出のための必要な容量の溶出液が、例えば１から５マイクロリットルで流出することができて良い。
【００１０】
好ましくはサンプル及び溶出液を、適用された力、好ましくは遠心力によって膜を透過させ、この場合膜は、例えば従来の遠心分離ローターで搭載及び回転可能なスピンカラムと遠心チューブのアセンブリーの一部であることができる。一つの有利な構成では、前記膜は、基底に隣接した領域で、少なくとも膜に向かう方向で減少する内部断面領域を有するスピンカラムまたは他のレセプタクルの基底で搭載される。加速したサンプルのプロセッシングが、連続して搭載された等量物における膜に対するサンプルの適用、及び遠心分離のような作用の介在により達成され、膜を通じて各搭載された等量物が通過する。真空、ウィッキング、またはガス若しくは機械的に適用された圧力によるような、膜を通過させる他の方法もまた利用可能である。
【００１１】
プロセッシング速度は、例えば実質的に２００マイクロリットルまでの等量物で膜を通じて、例えば５００マイクロリットルの容量のサンプルを通過させることによってさらに加速でき、それは逆相樹脂ベッドピペットチップを利用する従来法で可能である典型的に１５から２０マイクロリットルの量より遙かに大きい。搭載する膜に対する好ましい等量物範囲は、実質的に１から２００マイクロリットルである。
【００１２】
前記回収方法は、サンプルの搭載の前に、膜の平衡化の除去によって、さらに膜のタイプに依存して、膜にサンプルを通過させた後で、標的化合物の溶出の前に、膜の洗浄の除去によってさらに加速されても良い。一方または両方のこれらの従来の予備工程の除去は、適切な環境において、膜の小さなサイズとほとんどの液体の排除のために可能であり、かくしてバッファー塩のような混在物の大部分を除去可能である。洗浄工程の除去は、膜のマトリックスからの標的化合物の不必要なロスを避けるという利点を提供する。
【００１３】
酸での溶出のため、好ましくは膜は塩基性アニオン交換子であり、それは広範囲の分子量に亘る化合物、特に８．０以下の等電点を有するペプチドを結合するために有効であると分かる。結合したペプチドの溶出は、サンプルバッファー溶液のｐＨに対して減少したｐＨを有する酸で実施できる。前記膜はまた逆相膜であることもでき、この場合、溶出がアセトニトリル及びギ酸によるのであれば、減少した溶媒濃度に対して１：１で溶出サンプルを希釈することが望ましい。
【００１４】
ペプチド回収のスケールは、調製サンプルの大多数のそれぞれが、マルチウェルプレートのような共通の支持体によって維持されている膜の対応する大多数のそれぞれ一つを同時に通過することによって、及び溶出液が膜を同時に通過することによって結合したペプチドを除去することによって増大できる。かくして、遠心力のような膜の通過を生じるために使用される力は、同時に多くの膜に対する作用を有するように発揮されて良い。
【００１５】
前記方法の工程は、溶出した荷電化合物のスペクトロメトリー分析の最終工程によって拡張されても良く、この場合前記化合物が、分析の迅速な実施を可能にする手段で直接に溶出することが可能でも良い。
【００１６】
本発明の第二の特徴点によれば、調製された荷電化合物切断物をバッファー溶液で希釈する工程、選択されたｐＨまたはｐＨレベルの選択での切断物からの荷電化合物のサブ集団（類）の膜に対する可逆的結合を可能にするように、有効吸着性表面領域が制限された吸着性イオン交換膜または逆相膜に前記希釈切断物を通過させる工程、酸での溶出により結合した荷電化合物を回収する工程、及びスペクトロメトリー分析に各荷電化合物溶出液を直接かける工程を含む、プロテオーム分析方法を提供する。
【００１７】
そのような方法は、ペプチドマスデータ、アミノ酸シークエンシング、グリコシル化変化及びリン酸化を含む翻訳後変化のような目的のため、数多くのペプチドの単離及び分析のより迅速で単純な方法のためのプロテオーム研究の特異的な必要に向けられる。分析は好ましくは、例えばマトリックス補助的レーザー脱着イオン化といった、溶出液中に存在するペプチドの特徴に対するマススペクトロメトリーによって実施される。この場合、膜の性質に依存して、溶出液を溶出工程の後、かくして過剰な塩を除去するための洗浄の前でなくとも、直接マトリックスに添加できても良い、他の使用可能な方法は、エレクトロスプレー（ナノスプレーを含む）イオン化、さらには例えば巨大分子複合体におけるペプチド及びタンパク質同定のためのタンデムマススペクトロメトリーを含む。
【００１８】
ペプチド切断のためのタンパク質の調製は、特に分子荷電及び重量によってタンパク質を分離するためのタンパク質搭載ポリアクリルアミドキャリアーゲルの二次元電気泳動の使用での、タンパク質の最初の取得、精製（脱塩）及び分離の従来法で実施できる。
【００１９】
膜の特長は、本発明の第一の特徴点に関連して以前に記載されたように、及び適切なように以下の対応する記載に記載されたように得ることが可能である。
【００２０】
本発明の実施例は、イオン交換膜及び逆相膜のそれぞれの使用で特にここで記載されるであろう。
【実施例】
【００２１】
実施例１（イオン交換膜）
イオン交換膜を使用する本発明の方法の第一の実施例は、試験タンパク質としてエノラーゼを使用するが、エノラーゼは、既知のアミノ酸配列に加えて、純粋な形態で(Sigma Chemicals Company社から）市場で入手可能であるという利点を有し、低いシステイン含量を示し、トリプシンで容易に切断可能であり、広範囲の等電点と５００から３５００Ｄａの範囲の重量を有する断片の生産が可能である。
【００２２】
エノラーゼ＝ＥＮＯ１＿ＹＥＡＳＴ  ｆｒｏｍ  ＳＷＩＳＳ−ＰＲＯＴ：
エノラーゼ１(EC 4.2.1.11)（２−ホスホグリセラートデヒドラターゼ）（２−ホスホ−Ｄ−グリセラートヒドロリアーゼ）。理論的等電点（ｐＩ）：６．１７；Ｍｗ（平均値）４６６７０．９２；Ｍｗ（一同位体重量）：４６６４２．２１；アミノ酸配列：
【００２３】
【数１】
2004537033.tif 000003
【００２４】
前述の特定に適合する凍結乾燥エノラーゼを、ｐＨ７．７の二炭酸アンモニウムの１０ｍＭ揮発性バッファー溶液で１００ｐｍｏｌ／μｌのおよその濃度に希釈した。次いで溶液をアミノ酸分析にかけ、１００ｐｍｏｌ／μｌへの希釈によって正確に調節した。次いで１：１００の割合の酵素：基質を使用して、変性シークエンシンググレードのトリプシン(Promega)で、特に３７℃で８時間完全に溶液を切断することによって、ペプチド切断物を生産した。次いで精製した切断物を１０ｐｍｏｌ／μｌの濃度に希釈し（ストック溶液）、−８０℃で５０μｌの等量物で貯蔵した。
【００２５】
切断物からのペプチドの単離のため、トリス（ｐＨ７．３及び９．０）、二炭酸アンモニウム（ｐＨ８．０）、エタノールアミン（ｐＨ１０．２）、及びピペリジン（ｐＨ１１．４）の試験バッファー溶液を２０ｍＭの濃度に作成し、それぞれのｐＨ値を１Ｍ塩酸で調節した。次いで切断物のストック溶液を各バッファー溶液で希釈し、５０ｆｍｏｌ／μｌの希釈切断物溶液を準備した。１００μｌの各ｐＨの切断物を、１．５ｍｌマイクロ遠心チューブに搭載したスピンカラムに搭載し、前記カラムは、３から５μｍの孔サイズを有する安定化再生セルロースマトリックスに共有結合した第四級アンモニウム官能基を有する強力な塩基性アニオン交換膜を含んだ。前記膜は、不透過性のエッジ領域で固定された２３０から３２０μｍの厚みのディスクの形態を有し、約３ｍｍ２の各表面での有効表面領域を有した。使用された膜が塩で事前調製されているのであれば、いずれの残余の塩含量もが除去されるべきであり、または洗浄により実質的に除去されるべきである。次いでチューブとカラムのアセンブリーを、マイクロ遠心器('Biofuge-pico', Heraeus Instruments, Osterode, Germany)に配置し、１分までの期間３００×ｇ未満の低相対遠心力で回転し、膜に対してそれぞれの希釈切断物サンプルを透過させ、アニオン交換により膜マトリックスにサンプル中のペプチドの結合を生じさせた。次いでカラムを、膜の洗浄を介在することなく、新たな遠心チューブに配置し、溶出液として５μｌの１０％ギ酸を載せ、チューブと共に、１分間３００×ｇで、最後に２０秒間最大速度で遠心器で回転させ、結合ペプチドを溶出した。生成した溶出液を、マトリックス補助的レーザー脱着イオン化タイムオブフライト（ＭＡＬＤＩ ＴｏＦ）分析のためステンレススチール標的プレート上の薄層マトリックスで０．２０μｌの容量でスポットした。マトリックスは、アセトン：１０ｍｇ／ｍｌニトロセルロースを含むイソプロパノールの１：１混合物と混合した、アセトン中のα−シアノ−４−ヒドロキシケイ皮酸（ＣＣＡ）の飽和溶液の３：１混合物からなる。
【００２６】
さらに、結合感度の分析のため、ストック希釈物の希釈液（０．１、１、５及び１０ｆｍｏｌ／μｌ）を１０．２のｐＨを有する２０ｍＭエタノールアミンバッファーで調製した。１００μｌの各希釈液を、前述のものと同じ態様でカラムとチューブのアセンブリーで回転させ、膜にペプチドを結合させた。１μｌの１０％ギ酸を使用する溶出により、１．５μｌの増大した最終容量が生成し、その０．１μｌをＭＡＬＤＩによって分析した。
【００２７】
ペプチド切断物と溶出液の分析を、窒素レーザー（λ＝３３７ｎｍ）を使用するScout 384イオンソースを備えたReflex III MALDI ToF (Bruker UK Ltd, Coventry)で実施し、サンプル基質からマトリックス／分析物材料を脱着／イオン化した。この方法で生成したイオンを、＋２５ｋＶの電位によって加速する前に、短い遅延した抽出時間セッティングのためドリフトさせた。スペクトルを、反射イオンミラーの後に配置したマイクロチャンネルプレート検出器で獲得した。スペクトルの正確な内部較正を、エノラーゼの切断物によって生成することが既知のペプチドの分子量を使用して実施した。各サンプルについての較正したスペクトルを、MASCOTサーチツール(www.metrixscience.com)を使用してサーチし、各サンプル中に存在する全てのエノラーゼペプチドを同定した。
【００２８】
MALDI分析の結果は、表１及び２に示されている：
【００２９】
【表１】
2004537033.tif 000004
【００３０】
表１のデータは、カラム１では、既知のタンパク質アミノ酸配列の６１％が、タンパク質切断物中のペプチドとして存在することを示し、その配列はカラム５に示されている。
【００３１】
５００ｆｍｏｌ／μｌでの開始材料、即ち膜を通過する前のMALDI ToF分析は、カラム２に示されているように、５０％のこれらのペプチドを存在するものとして同定した。これは、マススペクトロメトリー分析の可変性の指標である。得られた配列範囲は、サンプル濃度との相関を示し、MALDIによって材料が検出される最低希釈液を示す。この場合、配列範囲はずっと低い、即ち２９％であった。
【００３２】
カラム４及び５は、膜での開始材料の通過と連続的に得られた溶出液の分析の後に回収されたペプチドを示す。１００μｌの等量物中の５００ｆｍｏｌ及び１００ｆｍｏｌがそれぞれ搭載され、１μｌの１０％ギ酸に溶出された。膜中の残余液は１．５μｌの最終容量を生じ、３３３及び６６ｆｍｏｌ／μlの有効最大濃度を示した。これらの溶出液のそれぞれの１００ｎｌを、MALDI標的プレートに直接スポットした。５００ｆｍｏｌの濃度では、開始材料と比較して配列範囲のロスは存在しなかった。この結果は、５ｆｍｏｌ／μｌの溶液の１００μｌを３分未満の時間間隔で１．５μｌに濃縮することによって達成された。５ｆｍｏｌ／μｌのサンプルの分析は、２９％の配列範囲を与え、最大配列範囲が必要とされるプロテオーム分析的応用についての特定の有用性を示した。
【００３３】
最後にカラム５は、少量のペプチドが濃縮でき脱塩できることを示し、それ故マススペクトロメトリーと適合することを示す。
【００３４】
【表２】
2004537033.tif 000005
【００３５】
表２の場合では、１００μｌ中の５ｐｍｏｌのペプチド切断物を膜に通過させてペプチドを結合し、それを３分未満で５μｌの１０％ギ酸に溶出した。バッファー溶液のｐＨが増大すると、より高いｐＨのより沢山のペプチドが結合した。かくして搭載したｐＨを増大することによって、より高い配列範囲のパーセンテージは得られた。再言すると、これはペプチド希釈溶液の有効な濃縮と脱塩のための可能性を明らかにする。
【００３６】
実施例２（逆相膜）
逆相膜を使用する本発明の方法の第二の実施例では、実施例１で使用された凍結乾燥エノラーゼを、実施例１に記載されたものと同じ態様で希釈ペプチド切断物に加工した。二炭酸アンモニウムバッファー（２０，５０及び１００ｍＭ）の濃度範囲を調製し、切断物のストック溶液を各バッファー溶液で希釈し、５０ｆｍｏｌ／μｌから１０ｆｍｏｌ／μｌの希釈切断物溶液を生じた。１００μｌの各希釈液を、０．５ｍｌマイクロ遠心チューブに配置され、不透過性エッジ領域で固定された２３０から３２０μｌの厚みのディスクの形態を有する逆相膜を含むスピンカラムに搭載し、その膜は約３ｍｍ２の各面での有効表面領域を有した。チューブとカラムのアセンブリーを、マイクロ遠心器（'Biofuge-pico', Heraeus Instruments, Osterode, Germany）に配置し、３分以下の間３００×ｇ未満の低相対遠心力で回転させ、膜を通過させて遠心チューブの回収チェンバーに各希釈切断物サンプルを移動させ、膜にサンプル中のペプチドの維持を生じさせた。１００μｌの水溶液中の０．１％ギ酸をカラムに搭載し、カラムとチューブのアセンブリーをさらに３分間まで回転させ、バッファーの塩の除去のため膜を洗浄した。次いでカラムを新たな遠心チューブに配置し、任意に１０ｍｇ／ｍｌのＭＡＬＤＩマトリックス材料（α−シアノ−４−ヒドロキシケイ皮酸）を有するカラム中に０．１％ギ酸またはトリフルオロ酢酸を含む１から５μｌの水中の５０％アセトニトリルを載せ、３分までの間３００×ｇで、次いで２０秒間最大速度（約１２０００×ｇ）でカラムとチューブのアセンブリーを回転することによって、膜からペプチドを溶出した。添加されたＭＡＬＤＩマトリックスを含まない溶出液の場合では、０．２５μｌの生成した溶出液を０．１％ギ酸で１μｌに希釈し、アセトニトリル濃度を減少し、かくして処理された溶出液を、分析のためのＭＡＬＤＩ標的プレート上のマトリックス材料の薄層−実施例１のものと同種−にスポットした。添加されたマトリックスを有する溶出液の場合では、０．５μｌの生成した溶出液を標的プレートに直接スポットし、そこではアセトニトリルが蒸発して、取り込まれたペプチドを有する均一な結晶の層が残った。
【００３７】
さらに結合感度の分析のため、ストック切断物の希釈液（０．１、１、５及び１０ｆｍｏｌ／μｌ）を、７．８のｐＨを有する５０ｍＭ二炭酸アンモニウムバッファーで作成した。１００μｌの各希釈液を前述のものと同じ態様でカラムとチューブのアセンブリーで回転し、膜にペプチドを結合した。０．１％ギ酸を含む２μｌの５０％アセトニトリルを使用して溶出を実施し、０．１％ギ酸で１μｌに希釈された０．２５μｌの溶出液を分析のためＭＡＬＤＩ標的プレート上のマトリックス材料に適用した。
【００３８】
ペプチド切断物と溶出液のＭＡＬＤＩ分析を、実施例１と同じ態様で実施した。
【００３９】
高感度のタンパク質回収のための逆相膜の使用は、樹脂ベッドチップまたは他のシリカ充填カラムと比較して、減少した装置生産コスト、高いフロー速度、高い耐久性、及び増大したプロセッシング速度の利点を提供するであろう。
【００４０】
実施例３（イオン交換膜）
イオン交換膜を使用する第三の実施例では、実施例１で使用された凍結乾燥エノラーゼを、１０ｍＭ二炭酸アンモニウム、ｐＨ７．７で１００ｐｍｏｌ／μｌのおよその濃度に調製した。次いでこの溶液をアミノ酸分析にかけ、溶液を最終的に１００ｐｍｏｌ／μｌに希釈により調製した。１００ｐｍｏｌのサンプルをドデシル硫酸ナトリウムポリアクリルアミドゲル電気泳動（ＳＤＳ−ＰＡＧＥ）によって分析した。電場を適用することによってポリアクリルアミドゲルのスラブにタンパク質を移動させた；各種のタンパク質が各種の方向に移動し、それ故タンパク質の混合物が分離できる。分離したタンパク質を、４０％メタノール、１０％酢酸、及び５０％水中の０．１％クマシーブルー染料を使用してゲル中で染色し、タンパク質のバンドが見えたら、染料を排除した同じ溶媒混合物でゲルを再染色した。次いでゲルを徹底的に水で洗浄し、できるだけ多くの混在物を除去し、特に膜と相互作用するドデシル硫酸ナトリウムの濃度を減少させた。
【００４１】
水で洗浄し青色に染色されたタンパク質バンドをゲルから切り出し、４×１ｍｍのゲルの直方体に切断し、各部分が約２５ｐｍｏｌのタンパク質を含むようにした。
【００４２】
次いで実施例１で使用された種類のイオン交換膜を使用して、対応する装置によるサンプルの遠心分離により切断物を生産し、これに関しては他に述べるところがなければ遠心器を３００×ｇにセットし、２分間稼働させた。
【００４３】
切断物の生産のため、１×１１ｍｍのゲルの直方体を、２００μｌのスピンカラムのイオン交換膜に配置し、２００μｌの２０ｍＭ二炭酸アンモニウム、ｐＨ８．０をゲルの断片に加えた。１５分間待った後、遠心器を操作して液体を除去した。二炭酸ナトリウムを添加する工程、洗浄工程、及び遠心工程を三回繰り返した。次いで１００μｌの１００％アセトニトリルを加えてゲルを縮ませ、１０分間待った後にカラムを遠心させてアセトニトリルを除去した。次いで２０ｍＭ二炭酸ナトリウム、ｐＨ８．０中に１００ｎｇのトリプシンを含む１０μｌの溶液を加えてゲルの断片を再水和した。水和を完全に生じさせるために１５分間待った後、２０μｌの２０ｍＭ二炭酸アンモニウム、ｐＨ８．０を加え、カラムをキャップして３７℃で３時間貯蔵した。この時間の間で周期チェックを実施し、サンプルが乾いていないこと、及び液体が膜を通じてドリップしていないことを確認した。３時間の満了の後、２０ｍＭエタノールアミン、ｐＨ１０．５でサンプル−その容量は３０μｌ以下であるべきである−を２００μｌの最終容量に希釈した。次いでサンプルを遠心し、１００μｌの２０ｍＭエタノールアミン、ｐＨ１０．５を加えた。１０分間待った後、サンプルを遠心した。１００μｌの２０ｍＭエタノールアミンの添加、待機、及び遠心処理の最後の三の工程を三回繰り返したが、最後の遠心工程では、１３０００×ｇで３０秒間さらなる遠心処理を実施した。次いで液体を予備として貯蔵した。
【００４４】
その後、５μｌの１０％ギ酸を膜に加え、結合したペプチドを溶出し、サンプルを３００×ｇで２分間、引き続き１３０００×ｇで３０秒間遠心した。アセトン：１０ｍｇ／ｍｌニトロセルロースを含むイソプロパノールの１：１混合物の一部と混合したアセトン中のα−シアノ−４−ヒドロキシケイ皮酸（ＣＣＡ）の飽和溶液の三部から調製されたステンレススチール上のマトリックスの薄層に、酸性溶出液を直接スポットした。
【００４５】
ペプチド溶出液のＭＡＬＤＩ分析を、実施例１と同様の態様で実施した。
【００４６】
実施例４（逆相膜）
逆相膜を使用する切断物の生産のため、膜を最初に５μｌの１００％アセトニトリルで湿らし、引き続き５０μｌの２０ｍＭ二炭酸アンモニウムで湿らし、１×１ｍｍのゲルの立方体を２００μｌスピンカラムの逆相膜に配置し、２００μｌの２０ｍＭ二炭酸アンモニウム、ｐＨ８．０をゲルの断片に加えた。１５分間待った後、カラムを遠心して液体を除去した。２００μｌ二炭酸アンモニウムの添加工程、待機工程、遠心処理工程を三回繰り返した。次いで１００μｌの１００％アセトニトリルを加えてゲルを縮ませ、１０分間待った後、カラムを遠心処理してアセトニトリルを除去した。次いで２０ｍＭ二炭酸ナトリウム、ｐＨ８．０中に１００ｎｇのトリプシンを含む１０μｌの溶液を加えてゲルの断片を水和した。水和が完全に生じるように１５分間待った後、２０μｌの２０ｍＭ二炭酸アンモニウムを加え、カラムをキャップして３７℃で３時間貯蔵した。この時間の間で、周期チェックを実施し、サンプルが乾燥していないことを確認し、５０μｌの二炭酸アンモニウムのさらなる等量物で満たした（膜を通じた液体のドリップは重大ではなかった）。３時間の満了時に、サンプルを遠心し、１００μｌの２０ｍＭ二炭酸アンモニウム、ｐＨ８を加えた。１５分間待った後、サンプルを遠心処理した。次いで１０μｌの１０％ギ酸を加え、サンプルを遠心した。さらに１０μｌの１０％ギ酸を加え、１５分間待った後、サンプルの遠心処理を繰り返した。任意に、膜を例えば２×１００μｌで水中の０．１％ギ酸で洗浄し、サンプルを遠心処理して残存するバッファーの塩を除去した。
【００４７】
結合したペプチドを溶出するために、２から５μｌの５０％アセトニトリル、０．１％ギ酸を加え、または１０ｍｇ／ｍｌのα−シアノ−４−ヒドロキシケイ皮酸（ＣＣＡ）を含む同じ溶出液を使用した。サンプルを３００×ｇで２分間、次いで１３０００×ｇで３０秒間遠心処理した。
【００４８】
ＣＣＡを含む酸性溶出液はＭＡＬＤＩ標的プレートに直接適用でき、一方でマトリックスＣＣＡを含まない溶出液はエレクトロスプレーマススペクトロメトリーのために使用できた。
【００４９】
ペプチド溶出液のＭＡＬＤＩ分析を、実施例１と同じ態様で実施した。
【００５０】
実施例５（逆相膜）
この実施例のための適切なスピンカラムの調製の最初の工程では、約３ｍｍ２のそれぞれのディスクを、Sartorius GmbH, Germanyから入手可能で７０％エタノールで提供された１７３の高度変性（Ｃ１８リガンド）逆相膜シート−前述の実施例のものと同じ孔サイズ及び厚みを有する−から切り出し、第一のセットの２００μｌマイクロ容量スピンカラムに充填した。膜のシートの残りを、２×１００ｍｌの容量の７０％アセトニトリル＋０．１％ギ酸で洗浄し、その後２×２００ｍｌの容量の０．１％ギ酸で洗浄し、第二のセットのディスクを残部のシートから切り出し、第二のセットのスピンカラムに充填した。１００μｌの１００％メタノールを、３８１×ｇで１分間の回転により各スピンカラムの膜ディスクを通じて洗浄した。これに引き続き、同じ条件下で膜ディスクに対して１００μｌの１０ｍＭ二炭酸アンモニウムの回転を与えた。カラムを使用の直前まで１００μｌの１０ｍＭ二炭酸アンモニウムで貯蔵した。
【００５１】
エノラーゼ(EC 4.2.1.11)（２−ホスホ−Ｄ−グリセラートヒドロラーゼ）の特徴的な切断物のサンプルを、１０ｍＭ二炭酸アンモニウム中に５０ｆｍｏｌ／μｌの濃度で調製した。０．２５μｌのこの開始材料を、ＭＡＬＤＩ−ＴｏＦ標的プレート上のマトリックスの薄層に直接スポットした。開始材料の１．０ｆｍｏｌ／μｌの希釈物を、１０ｍＭ二炭酸アンモニウムに調製した。二炭酸アンモニウム溶液を除去するため、３８１×ｇで１分間調製したスピンカラムを遠心した後、１００μｌの１．０ｆｍｏｌ／μｌサンプルを各カラムに搭載し、通常の条件下で膜を通じて回転させた。カラムを１００μｌの０．１％ギ酸で洗浄した。結合したペプチドを、５μｌの５０％アセトニトリル、０．１％ギ酸で溶出した。
【００５２】
０．２５μｌの各溶出液を採取し、５０％アセトニトリル、０．１％ギ酸に溶解した０．２５μｌの５ｍｇ／ｍｌマトリックスとＭＡＬＤＩ−ＴｏＦ標的プレート上で混合し、分析の前に乾燥した小滴に結晶化させた。次いで残存する溶出液を０．１％ギ酸で１：１に希釈し、アセトニトリル濃度を２５％に減少した。次いでこれらを、標的プレートに事前に適用されているマトリックスの薄層に直接スポットした。２５％アセトニトリルは、マトリックスが溶解していないマトリックスの薄層上のサンプルのスポットのために使用できる１０、２０、２５、３０、４０、及び５０％の範囲で最も高い濃度であると見出された。サンプルスポットと開始材料スポットを、ＭＡＬＤＩ−ＴｏＦによって分析した。
【００５３】
溶出液の１００、５０、及び２０ｆｍｏｌのサンプルのＭＡＬＤＩ−ＴｏＦスペクトルが、それぞれ図１Ａ、１Ｂ、及び１Ｃに示されている。
【００５４】
実施例６（逆相膜）
実施例５で使用された高速逆相膜をさらに特徴付けするために、この膜で充填された１２のスピンカラムを１００％メタノールで事前に湿らし、前述のように１０ｍＭ二炭酸アンモニウムを通じて洗浄した。開始材料の新たな希釈物を、１０ｍＭ二炭酸アンモニウム中に１．０ｆｍｏｌ／μｌ、０．５ｆｍｏｌ／μｌ、０．２ｆｍｏｌ／μｌ、及び０．１ｆｍｏｌ／μｌで調製した。調製したスピンカラムを３８１×ｇで１分間遠心し、二炭酸アンモニウム溶液を除去した。１２のカラムを４個の三のセットに分割した。各セットから得た一つのカラムに、１００μｌの１．０ｆｍｏｌ／μｌサンプルを搭載し、かくして全量で１００ｆｍｏｌとし、通常の条件下で遠心した。各セットから得た第二のカラムに、１００μｌの０．５ｆｍｏｌ／μｌ、全量で５０ｆｍｏｌを搭載した。各セットから得た第三及び第四のカラムに、残余のサンプル希釈物からそれぞれ２０及び１０ｆｍｏｌを搭載した。次いで各スピンカラムを１００μｌの０．１％ギ酸で洗浄し、前述のように回転した。次いで再充填することなく１６０００×ｇで２０秒間カラムを再び遠心処理し、可能な限り膜の孔にトラップされた水溶液を除去した。５μｌの容量の５０％アセトニトリル、０．１％ギ酸を使用して、カラムの一つのセットから結合ペプチドを溶出した。２μｌの同じ溶液を使用して、カラムの第二のセットからペプチドを溶出した。５０％アセトニトリル、０．１％ギ酸中に５ｍｇ／ｍｌのマトリックスの２μｌの溶液で、カラムの最終セットを直接溶出した。この最後の方法は、"Millipore C18 Zip Tips"(登録商標)のようなペプチドでの溶出方法と直接比較可能である。
【００５５】
カラムの最初の二つのセットから得た０．２５μｌの各溶出液を採取し、５０％アセトニトリルに溶解した０．２５μｌのマトリックスを有するＭＡＬＤＩ−ＴｏＦ標的プレートで混合し、乾燥小滴に結晶化させた。これらのスポットの分析は、スポット法カラムでＤＤ（乾燥小滴）によって表３に記載されている。最初の二つのセットから得た残余の溶出液を０．１％ギ酸で１：１に希釈し、２５％にアセトニトリル濃度を減少させ、標的プレートに事前に適用されたマトリックスの薄層に直接スポットした。これらのスポットの分析は、スポット法カラムでＴＬ（薄層）によって表３に記載されている。カラムの最終セットから得た０．５μｌの溶出液を、標的プレートに直接スポットし、結晶化させた。これらのスポットの分析は、ＤＤ（ピペット等量物）によって表３に記載されている。
【００５６】
サンプルスポット及び開始材料スポットを、手動データ獲得を使用してＭＡＬＤＩ−ＴｏＦによって分析した。記録されたスペクトルに基づいて、配列範囲のパーセンテージを、エノラーゼの同定されている既知のペプチドから計算した。ポジティブの同定を１００μ中に搭載された１０ｆｍｏｌ程度に低いサンプルから得て、それは１０から５０ｆｍｏｌの範囲におけるタンパク質切断物の分析のための膜の有用性を確認したが、このレベルのサンプルは２０μl以下で搭載されるようである。
【００５７】
【表３】
2004537033.tif 000006
【図面の簡単な説明】
【００５８】
【図１Ａ】図１Ａは、溶出液の１００ｆｍｏｌサンプルのＭＡＬＤＩ−ＴｏＦスペクトルを示すグラフである。
【図１Ｂ】図１Ｂは、溶出液の５０ｆｍｏｌサンプルのＭＡＬＤＩ−ＴｏＦスペクトルを示すグラフである。
【図１Ｃ】図１Ｃは、溶出液の２０ｆｍｏｌサンプルのＭＡＬＤＩ−ＴｏＦスペクトルを示すグラフである。
【図１Ａ】
2004537033.tif 000007
【図１Ｂ】
2004537033.tif 000008
【図１Ｃ】
2004537033.tif 000009
【国際公開パンフレット】
2004537033.tif 000010
2004537033.tif 000011
2004537033.tif 000012
2004537033.tif 000013
2004537033.tif 000014
2004537033.tif 000015
2004537033.tif 000016
2004537033.tif 000017
2004537033.tif 000018
2004537033.tif 000019
2004537033.tif 000020
2004537033.tif 000021
2004537033.tif 000022
2004537033.tif 000023
2004537033.tif 000024
2004537033.tif 000025
2004537033.tif 000026
2004537033.tif 000027
2004537033.tif 000028
2004537033.tif 000029
2004537033.tif 000030
2004537033.tif 000031
2004537033.tif 000032
2004537033.tif 000033
2004537033.tif 000034
2004537033.tif 000035
2004537033.tif 000036
2004537033.tif 000037
【国際公開パンフレット（コレクトバージョン）】
2004537033.tif 000038
【国際公開パンフレット（コレクトバージョン）】
2004537033.tif 000039
2004537033.tif 000040
【国際調査報告】
2004537033.tif 000041
2004537033.tif 000042
2004537033.tif 000043
2004537033.tif 000044
2004537033.tif 000045